(57)【要約】【課題】塵芥を十分に圧縮しながら効率良く貯留するとともに、ブリッジ現象が発生した場合にはこれを解除して塵芥の排出を効率良く円滑に行うことのできる塵芥貯留排出装置を提供する。【解決手段】正逆方向に回転自在に設けられた搬送スクリュー３を有し、搬送スクリュー３とともに水平にもしくは一端部側から他端部側に向けて上方に傾斜して配設された搬送路２と、搬送路２の一端部から途中部の間の適所に設けられ、搬送路２内に塵芥を投入する投入手段４と、搬送路２の一端部側に連通され、搬送スクリュー３によって送り込まれる塵芥を貯留する貯留槽５と、貯留槽５内に設けられ、搬送路２に臨む位置と搬送路２から退避する位置との間で往復自在に構成された排出プレート６とを備えたものである。排出プレート６は、その中間部が支持軸６１により支持され支持軸６１を中心に回転可能に構成されたものである。【選択図】  図１
2005247504.tif 000002
【特許請求の範囲】
【請求項１】
正逆方向に回転自在に設けられた搬送スクリューを有し、当該搬送スクリューとともに水平もしくは一端部側から他端部側に向けて上方に傾斜して配設された搬送路と、
搬送路の一端部から途中部の間の適所に設けられ、搬送路内に塵芥を投入する投入手段と、
搬送路の一端部側に連通され、搬送スクリューによって送り込まれる塵芥を貯留する貯留槽と、
貯留槽内に設けられ、前記搬送路に臨む位置と搬送路から退避する位置との間で往復自在に構成された排出プレートとを備えたことを特徴とする塵芥貯留排出装置。
【請求項２】
前記排出プレートは、その中間部が支持軸により支持され当該支持軸を中心に回転可能に構成されたことを特徴とする請求項１記載の塵芥貯留排出装置。
【発明の詳細な説明】
【技術分野】
【０００１】
本発明は、塵芥を貯留するとともに、この貯留した塵芥を排出する塵芥貯留排出装置に関するものである。
【背景技術】
【０００２】
従来、この種の塵芥貯留排出装置としては、貯留槽の底部前後全体に亘って搬送スクリューが配置され、上部の投入口から貯留槽に投入された塵芥を搬送スクリューの逆転動作を繰り返して圧縮しながら貯留するとともに、排出時には搬送スクリューを正転させて前方の排出口から塵芥を外部に排出するように構成したものがある（例えば、特許文献１参照）。
【特許文献１】実公平５−２４８４号公報
【発明の開示】
【発明が解決しようとする課題】
【０００３】
しかしながら、貯留槽内において塵芥の圧縮に伴うブリッジ現象が生じた場合、搬送スクリューをそのままの状態で回転させたとしても、搬送スクリューの上方にある塵芥を動かすまでにはいたらずにブリッジ現象が解除されないままとなって塵芥を円滑に排出できない事態が生じた。また、その現象を生じさせないために貯留槽に余裕を持たせて、貯留停止させなければならず、実質的な貯留容積が減少するという問題があった。
【０００４】
本発明は、上記問題点に鑑みてなされたもので、その目的とするところは、塵芥を十分に圧縮しながら効率良く貯留するとともに、ブリッジ現象が発生した場合にはこれを解除して塵芥の排出を効率良く円滑に行うことのできる塵芥貯留排出装置を提供することにある。
【課題を解決するための手段】
【０００５】
上記の目的を達成するため、請求項１に係る発明の塵芥貯留排出装置は、正逆方向に回転自在に設けられた搬送スクリューを有し、当該搬送スクリューとともに水平もしくは一端部側から他端部側に向けて上方に傾斜して配設された搬送路と、搬送路の一端部から途中部の間の適所に設けられ、搬送路内に塵芥を投入する投入手段と、搬送路の一端部側に連通され、搬送スクリューによって送り込まれる塵芥を貯留する貯留槽と、貯留槽内に設けられ、前記搬送路に臨む位置と搬送路から退避する位置との間で往復自在に構成された排出プレートとを備えたものである。
【０００６】
請求項２に係る発明の塵芥貯留排出装置では、前記排出プレートはその中間部が支持軸により支持され当該支持軸を中心に回転可能に構成されている。
【発明の効果】
【０００７】
本発明によれば、搬送スクリューの押込作用により塵芥を貯留槽内の排出プレートで受け止め、この排出プレートを徐々に退避させながら貯留槽内に貯留していくことで、塵芥を確実に圧縮しながら効率良く貯留することができる。また、排出プレートを搬送路側に徐々に移動させながら貯留槽の塵芥を搬送スクリューにより排出していくことで、貯留槽内の塵芥を強制的に動かしながら円滑に排出することができる。
【発明を実施するための最良の形態】
【０００８】
以下、本発明の実施の形態について図面を参照して説明する。
【０００９】
図１及び図２は、本発明に係る塵芥貯留排出装置の概略構成を示している。
【００１０】
この塵芥貯留排出装置１は、内部に搬送スクリュー３を有する搬送路２と、搬送路２の途中部側部に設けられた投入手段４と、上記搬送路２に連通された貯留槽５と、貯留槽５内に設けられた排出プレート６とを備えている。
【００１１】
搬送路２は、所定長さを有する円筒状に形成されており、一端部（図１において左側端部）から他端部に向けて上方に所定角度傾斜した状態で配置されている。
【００１２】
搬送スクリュー３は、そのスクリュー部３１が上記搬送路２内にその全長に亘って配置されている。つまり、搬送スクリュー３も搬送路２と同様に基端から先端に向けて上方に傾斜した状態で配置されている。また、搬送スクリュー３の軸部３２の基端が搬送路２の一端から外部に突出して配置されている。この軸部３２の突出した基端には駆動モータ３３が減速機等を介して連繋されており、当該駆動モータ３３の駆動により搬送スクリュー３を正逆方向に回転作動するように構成されている。
【００１３】
投入手段４は、図２に示すように搬送路２の途中部と対峙して配置された投入プレートＡに形成された投入口４１が開閉蓋４２により開閉自在に設けられるとともに、投入口４１に搬送路２内の途中部に臨んでシュート４３が設けられ、開閉蓋４２の開放により塵芥を投入口４１、シュート４３を通じて搬送路内２の途中部に収容するようにしている。
【００１４】
従って、前記搬送スクリュー３の正逆方向への回転作動により投入手段４により搬送路２内の途中部に投入した塵芥を当該搬送路２内において一端側又は他端側の両方向に搬送することができる。
【００１５】
また、前記搬送路２の他端には排出部７（図１参照）が設けられている。排出部７は、搬送スクリュー３の先端と対峙して搬送路２の他端に形成された排出口７１と、この排出口７１を伸縮シリンダ７２の伸縮動作により開閉する排出蓋７３とを備えている。
【００１６】
貯留槽５は、前記搬送路２に対して直交する方向に配設されており、一端部が前記搬送路２の一端側に連通した状態で連結されている。この貯留槽５は、所定量の塵芥が貯留できるだけの長さを有しており、貯留槽５の他端部側への後述する排出プレート６の後退動作に伴って内部に塵芥を圧縮しながら貯留するようにしている。
【００１７】
排出プレート６は、図２に示すように上記貯留槽５の内部において搬送路２に臨む位置（実線参照）と貯留槽５の他端部に退避する位置（二点鎖線参照）とで往復移動自在に構成されるとともに、後述する支持軸（中間部）６１を中心にして回転自在に構成されている。
【００１８】
具体的には、排出プレート６は、図１に示すように搬送路２側から見た貯留槽５の断面形状と略同じ大きさに形成された板状体であり、中間部に支持軸６１が一体的に設けられている。支持軸６１の両端部は貯留槽５の両側面から外方に突出して配置されており、その突出された支持軸６１の一端部が移動機構８に配設された駆動モータ６２の出力軸に連結されている。
【００１９】
一方、貯留槽５の他側面から突出した前記支持軸６１の他端部は、この他端部に設けられたローラ６３が貯留槽５の他側面に沿って水平に配置されたガイドレール６４上に転動自在に支持されている。
【００２０】
上記移動機構８は、図３に示すように貯留槽５の一側面外側に沿って水平に配置されたボールスクリュー軸８１と、ボールスクリュー軸８１に螺入された移動ブロック８２と、駆動モータ８３とを備えている。
【００２１】
ボールスクリュー軸８１は、その一端部８１ａがカップリング８１ｂを介して駆動モータ８３の出力軸に連結されるとともに、他端部８１ｃが図示しないベアリングを介して回動自在に支持されている。
【００２２】
移動ブロック８２は、その上面に前記駆動モータ６２を載置している。この移動ブロック８２の底面には前後左右に移動ローラ８５が設けられており、この移動ローラ８５は貯留槽５の一側面外方に沿って平行に敷設されたガイドレール８６上に転動自在に配置されている。従って、駆動モータ８３の正逆方向の回転駆動に伴ってボールスクリュー軸８１を正逆方向に回転作動させることで、移動ブロック８２を駆動モータ６２とともに移動ローラ８５を介してガイドレール８６に案内されながら貯留槽５の一側面外方に沿って移動させることができる。これにより駆動モータ６２に連結された前記支持軸６１を介して排出プレート６を貯留槽５内において搬送路２に臨む位置と貯留槽５の他端部に退避する位置との間で移動させることができる。
【００２３】
なお、貯留槽５の両側面から突出した支持軸６１の移動を許容するように貯留槽５の両側面には長孔（図示省略）が形成されており、支持軸６１の両端部はこの長孔に沿って移動することになる。この長孔には当該長孔を通じて塵芥が外部に漏れ出さないように適宜なシール機構を施している。
【００２４】
また、排出プレート６は、通常は垂直状態で前述のように貯留槽５内を移動することになるが、前記駆動モータ６２の正逆方向の回転駆動により支持軸６１を中心にして回転することもできる。
【００２５】
次に、このように構成された塵芥貯留排出装置１による塵芥の貯留及び排出動作について説明する。
【００２６】
まず、開閉蓋４２を開放し投入口４１、シュート４３を通じて搬送路２内の途中部に塵芥を投入する。
【００２７】
このようにして搬送路２内の途中部に塵芥を投入すると、搬送スクリュー３が当該塵芥を搬送路２の一端側に搬送するように回転駆動する。これにより投入された塵芥は搬送路２の一端側に順次搬送されてこの一端側から連通された貯留槽５側に押し込まれていく。
【００２８】
この際、排出プレート６は、搬送路２に臨む当該搬送路２と貯留槽５との連通部に垂直状態で予め配置されており、搬送スクリュー３によって搬送路２から貯留槽５側に押し込まれる塵芥を受け止めることによって当該塵芥が圧縮される（図４参照）。
【００２９】
このように塵芥を圧縮していき、この圧縮によって搬送スクリュー３の駆動モータ３３にかかる負荷が所定値以上になると、駆動モータ８３によって移動ブロック８２を貯留槽５の他端側に所定距離移動させて排出プレート６を貯留槽５内において他端側に所定距離後退させる。
【００３０】
そして、この状態で上述と同様に投入手段４から搬送路２内に投入した塵芥を搬送スクリュー３により排出プレート６に向けて押し込む。これにより続いて投入した塵芥を圧縮しながら貯留槽５に貯留していき、駆動モータ３３にかかる負荷が所定値以上になると上述と同様にして排出プレート６をさらに所定距離後退させることによって、塵芥を圧縮しながら貯留槽５に順次貯留していく。
【００３１】
この動作を繰り返し行うことで貯留槽５に塵芥が圧縮されながら徐々に貯留されていき、排出プレート６が貯留槽５の他端部の最も退避した位置に達した状態で駆動モータ３３にかかる負荷が所定値以上になれば、貯留槽５内に塵芥が満量状態で貯留されたことになり、塵芥の投入を中止する。この場合、開閉蓋４２を適宜な固縛手段で閉塞状態で固縛することによって塵芥の投入を阻止するようにすればよい。なお、塵芥の満量は、レベル計などの他の手段により検知するようしてもよい。
【００３２】
このように搬送スクリュー３の押込作用により塵芥を排出プレート６で受け止めながら貯留槽３内に貯留していくことで、当該塵芥を確実に圧縮しながら効率良く貯留することができる。
【００３３】
また、搬送路２の比較的低い途中部に投入手段４を設けているため、投入口４１の位置を極力低くすることが可能で、これにより塵芥の投入が容易になりバリアフリーに対応することができる。
【００３４】
なお、搬送スクリュー３は、例えば開閉蓋４２の開閉動作などに連動して間欠的に所定時間作動させるようにしてもよいし、スイッチ操作により所定時間作動させるようにしてもよく、さらに必要に応じては連続的に作動させるようにしてもよい。
【００３５】
そして、上述のようにして貯留槽５内に貯留された塵芥を排出する場合には、排出蓋７３を開放した後、搬送スクリュー３を前述とは逆方向に回転駆動させるとともに、排出プレート６を搬送路２側に徐々に移動させて貯留槽５内の塵芥を搬送路２側に徐々に押し出すことにより、貯留槽５内の塵芥を排出口７１から順次外部に排出する（図５参照）。
【００３６】
この際、排出口７１に、例えば塵芥収集車の投入口を配置しておくことで、この塵芥収集車に容易に貯留槽５内の塵芥を収容でき、処理場などに運搬することができる。つまり、塵芥を運搬する運搬車輌に応じて塵芥を収容し易いように、排出口７１の高さ位置などを設定すればよい。
【００３７】
このように排出プレート６を搬送路２側に徐々に移動させながら貯留槽５の塵芥を搬送スクリュー３により排出していくことで、貯留槽５内の塵芥を強制的に動かしながら排出することができ、これによりブリッジ現象が発生していたとしてもこれを強制的に解除しながら塵芥を円滑に排出することができる。
【００３８】
また、必要に応じて排出プレート６を支持軸６１を中心にして所定角度揺動させることで圧縮された塵芥をほぐすことができ、これによりさらに塵芥を円滑に排出することができる。例えば、排出プレート６を搬送路２に臨む位置で図２において反時計回りの方向に揺動させることで搬送路２上方の塵芥を搬送スクリュー３に強制的に押し込むことができ、塵芥を貯留槽５に残すことなく円滑に排出することができる。
【００３９】
さらに、排出プレート６は正逆方向に一回転させることもできるので、揺動動作などによって塵芥が排出プレート６よりも貯留槽５の他端部側に進入しても、この回転によって搬出プレート６よりも搬送路２側に  き出すことができる。
【図面の簡単な説明】
【００４０】
【図１】本発明の塵芥貯留排出装置の構成を示す側面から見た断面図である。
【図２】同じく塵芥貯留排出装置の構成を示す排出部側から見た断面図である。
【図３】排出プレートの移動機構を示す排出部側から見た図である。
【図４】同じく塵芥貯留排出装置による塵芥の貯留・圧縮時の状況を示す概略図である。
【図５】同じく塵芥貯留排出装置による塵芥の排出時の状況を示す概略図である。
【符号の説明】
【００４１】
１  塵芥貯留排出装置
２  搬送路
３  搬送スクリュー
４  投入手段
５  貯留槽
６  排出プレート
６１  支持軸
【図１】
2005247504.tif 000003
【図２】
2005247504.tif 000004
【図３】
2005247504.tif 000005
【図４】
2005247504.tif 000006
【図５】
2005247504.tif 000007